(57)【要約】【課題】ＨＤ（ハイビジョン）の映像をＭＰＥＧ−２で圧縮してＨＤの映像を持つＶＯＢを作成して領域ｖｉｄｅｏ＿ｔｓへ記録されている場合、正しく再生できない、或いは何も表示することができない。【解決手段】ディレクトリ：ｖｉｄｅｏ＿ｔｓには従来と同様にＤＶＤ−Ｖｉｄｅｏで使用できる映像（ＳＤ）で作成されたＶＯＢと、このＶＯＢを再生するためのＰＧＣが格納される。ディレクトリ：ＨＤｖｉｄｅｏ＿ｔｓにはＨＤの映像で作成されたＶＯＢ（以下、ＨＤＶＯＢと記す）と、ＳＤの映像で作成されたＶＯＢ（以下、ＳＤＶＯＢと記す）と、ＨＤＶＯＢとＳＤＶＯＢを再生するためのＰＧＣとが格納される。ディレクトリ：ＨＤｖｉｄｅｏ＿ｔｓのＳＤＶＯＢは、ディレクトリ：ｖｉｄｅｏ＿ｔｓにあるＶＯＢと同じであるため、実際のファイルではなくディレクトリ：ｖｉｄｅｏ＿ｔｓにあるＶＯＢを指すリンクファイルとする。【選択図】　　　図１
2004096282.tif 000002
【特許請求の範囲】
【請求項１】
ＤＶＤ−Ｖｉｄｅｏ規格で使用できる映像で作成された第１のファイルを得る第１のファイル手段と、
前記第１のファイル手段から入力される前記第１のファイルを使用して再生を行わせる第１の制御情報を作成する第１の制御情報作成手段と、
前記第１のファイル手段から入力される前記第１のファイルおよび前記第１の制御情報作成手段から入力される前記第１の制御情報を光ディスクの前記規格で定められた第１の領域に記録する第１の記録手段と、
高解像度映像を用いて作成された第２のファイルを作成する第２のファイル作成手段と、
前記第２のファイルと前記第１のファイルの内少なくともいずれか一方を使用して再生を行うようにする第２の制御情報を作成する第２の制御情報作成手段と、
前記第２のファイル作成手段からの前記第２のファイルおよび前記第２の制御情報作成手段からの前記第２の制御情報とを、前記光ディスクの前記第１の領域とは異なる高解像度映像対応機器用の第２の領域に記録する第２の記録手段とを備えたことを特徴とする映像信号記録装置。
【請求項２】
ＤＶＤ−Ｖｉｄｅｏ規格で使用できる映像で作成された第１のファイルを得る第１のファイル手段と、
前記第１のファイル手段から入力される前記第１のファイルを使用して再生を行わせる第１の制御情報を作成する第１の制御情報作成手段と、
前記第１のファイル手段から入力される前記第１のファイルおよび前記第１の制御情報作成手段から入力される前記第１の制御情報を光ディスクの前記規格で定められた第１の領域に記録する第１の記録手段と、
高解像度映像を用いて作成された第２のファイルを作成する第２のファイル作成手段と、
前記第１の領域に格納された前記第１のファイルを指すリンクファイルを作成するリンクファイル作成手段と、
前記第２のファイルと前記リンクファイルの内少なくともいずれか一方を使用して再生を行わせる第２の制御情報を作成する第２の制御情報作成手段と、
前記第２のファイル作成手段からの第２のファイルと前記リンクファイル作成手段からの前記リンクファイルと前記第２の制御情報とを、前記光ディスクの前記第１の領域とは異なる高解像度映像対応機器用の第２の領域に記録する第２の記録手段とを備えたことを特徴とする映像信号記録装置。
【請求項３】
ＤＶＤ−Ｖｉｄｅｏ規格で使用できる映像で作成された第１のファイルを得る第１のファイル手段と、
高解像度映像を用いて作成した第２のファイルを得る第２のファイル手段と、
前記第１のファイルおよび前記第２のファイルを再生するための制御情報を作成する制御情報作成手段と、
前記第１のファイル手段からの前記第１のファイルと前記第１のファイル手段からの前記第２のファイルと前記制御情報作成手段からの前記制御情報とを、前記規格で定められた領域に記録する記録手段とを備え、
前記制御情報は、
前記制御情報の中で再生装置が最初に記録媒体を再生するときに最初に使用する部分に、前記再生装置が高解像度映像の再生に対応しているか否かを判断させる処理と、
この処理の判断結果に応じて前記再生装置で再生を行うＰＧＣ（Ｐｒｏｇｒａｍ　Ｃｈａｉｎ）を切り替える処理と、
前記再生装置が高解像度映像の再生に対応していない場合には、前記第１のファイルのみを使用して再生を行わせる第１の制御情報により再生を行わせる処理と、
前記再生装置が高解像度映像の再生に対応している場合には、前記第１のファイルおよび前記第２のファイルの内、少なくともいずれか一方を使用して再生を行わせる第２の制御情報により再生を行わせる処理とを含むことを特徴とする映像信号記録装置。
【請求項４】
ＤＶＤ−Ｖｉｄｅｏ規格で使用できる映像で作成された第１のファイルと、この第１のファイルを使用して再生を行うようにする第１の制御情報とを前記規格で定められた第１の領域に格納し、
高解像度映像を用いて作成された第２のファイルと、前記第１のファイルおよび前記第２のファイルの内少なくともいずれか一方を使用して再生を行わせる第２の制御情報とを、前記第１の領域とは異なる高解像度映像対応機器用の第２の領域に格納することを特徴とする記録媒体。
【請求項５】
ＤＶＤ−Ｖｉｄｅｏ規格で使用できる映像で作成された第１のファイルと、この第１のファイルを使用して再生を行うようにする第１の制御情報とを前記規格で定められた第１の領域に格納し、
高解像度映像を用いて作成された第２のファイルと、前記第１の領域に格納された前記第１のファイルを指すリンクファイルと、前記リンクファイルおよび前記第２のファイルの内少なくともいずれか一方を使用して再生を行わせる第２の制御情報とを前記第１の領域とは異なる高解像度映像対応機器用の第２の領域に格納することを特徴とする記録媒体。
【請求項６】
ＤＶＤ−Ｖｉｄｅｏ規格で使用できる映像で作成された第１のファイルと、
高解像度映像を用いて作成した第２のファイルと、
前記第１のファイルおよび前記第２のファイルを再生するための制御情報と、
前記第１のファイルと前記第２のファイルと前記制御情報とを、前記規格で定められた領域に格納し、
前記制御情報は、
前記制御情報の中で再生装置が最初に記録媒体を再生するときに最初に使用する部分に、前記再生装置が高解像度映像の再生に対応しているか否かを判断させる処理と、
この処理の判断結果に応じて前記再生装置で再生を行うＰＧＣ（Ｐｒｏｇｒａｍ　Ｃｈａｉｎ）を切り替える処理と、
前記再生装置が高解像度映像の再生に対応していない場合には、前記第１のファイルのみを使用して再生を行わせる第１の制御情報により再生を行わせる処理と、
前記再生装置が高解像度映像の再生に対応している場合には、前記第１のファイルおよび前記第２のファイルの内、少なくともいずれか一方を使用して再生を行わせる第２の制御情報により再生を行わせる処理とを含むことを特徴とする映像信号記録装置。
【請求項７】
前記ファーストプレイＰＧＣでの前記再生装置が高解像度映像の再生に対応しているかを判断させる処理は、
前記再生装置のシステムパラメータの一つであるビデオ用のプレーヤ構成（Ｐｌａｙｅｒ　Ｃｏｎｆｉｇｕｒａｔｉｏｎ）の情報を使用して判断を行わせることを特徴とする請求項６に記載の記録媒体。
【請求項８】
ＤＶＤ−Ｖｉｄｅｏ規格で使用できる映像で作成された第１のファイルと、この第１のファイルを使用して再生を行うようにする第１の制御情報とを前記規格で定められた第１の領域に格納し、高解像度映像を用いて作成された第２のファイルと、前記第２のファイルと前記第１のファイルの内少なくともいずれか一方を使用して再生を行わせる第２の制御情報とを前記第１の領域とは異なる高解像度映像対応機器用の第２の領域に格納した記録媒体から信号を読み出す読出手段と、
前記読出手段により読み出した前記信号から、前記記録媒体に前記第２の領域があるか否かを判定する判定手段と、
前記判定手段の判定の結果、前記記録媒体に前記第２の領域がある場合には前記第２の領域に格納されている前記第２の制御情報に応じて、前記第２のファイルと前記第１のファイルの内少なくともいずれか一方を用いて再生を行う第１の再生手段と、
前記判定手段の判定の結果、前記記録媒体に前記第２の領域がない場合には前記第１の領域から前記第１の制御情報を読み出し、この読み出した前記第１の制御情報に応じて前記第１のファイルを使用して再生を行う第２の再生手段とを備えたことを特徴とする映像信号再生装置。
【請求項９】
ＤＶＤ−Ｖｉｄｅｏ規格で使用できる映像で作成された第１のファイルと、この第１のファイルを使用して再生を行うようにする第１の制御情報とを前記規格で定められた第１の領域に格納し、高解像度映像を用いて作成された第２のファイルと、前記第１の領域に格納された前記第１のファイルを指すリンクファイルと、前記第２のファイルと前記リンクファイルの内少なくともいずれか一方を使用して再生を行わせる第２の制御情報を前記第１の領域とは異なる高解像度映像対応機器用の第２の領域に格納した記録媒体から信号を読み出す読出手段と、
前記読出手段により読み出した前記信号から、前記記録媒体に前記第２の領域があるか否かを判定する判定手段と、
前記判定手段の判定の結果、前記記録媒体に前記第２の領域がある場合には前記第２の領域に格納されている前記第２の制御情報に応じて、前記第２のファイルと前記第１のファイルを指すリンクファイルの内少なくともいずれか一方を用いて再生を行う第１の再生手段と、
前記判定手段の判定の結果、前記記録媒体に前記第２の領域がない場合には前記第１の領域から前記第１の制御情報を読み出し、この読み出した前記第１の制御情報に応じて前記第１のファイルを使用して再生を行う第２の再生手段とを備えたことを特徴とする映像信号再生装置。
【発明の詳細な説明】
【０００１】
【発明の属する技術分野】
この発明は、映像信号を記録再生する装置に関し、特に従来のＤＶＤと互換を持ったＨＤの映像に対応したＤＶＤ−ｖｉｄｅｏの記録装置および再生装置に関する。
【０００２】
【従来の技術】
従来のＤＶＤ−Ｖｉｄｅｏについて説明する。ＤＶＤ−Ｖｉｄｅｏのデータは圧縮符号化した映像、音声、副映像のデータと制御情報を集合させて構成している。映像はＭＰＥＧ−２で圧縮され、ＮＴＳＣ（７２０画素×４８０画素の２９．９７ｆｐｓ）または、ＰＡＬ（７２０画素×５７６画素の２５ｆｐｓ）まで映像が使用できるようになっている。映像、音声、副映像と制御情報を集合させたデータはＤＶＤ−Ｖｉｄｅｏの規格に従ってｖｉｄｅｏ＿ｔｓという領域（ディレクトリ）に格納される。このとき映像、音声、副映像はビデオ・オブジェクト（Ｖｉｄｅｏ　Ｏｂｊｅｃｔ　以下、ＶＯＢと記す。）として、再生する映像や音声の指定や再生する順序といった制御情報はＰＧＣ（Ｐｒｏｇｒａｍ　Ｃｈａｉｎ　以下、ＰＧＣと記す。）として領域ｖｉｄｅｏ＿ｔｓ内へファイルとして記録される。
【０００３】
上記のようにデータが記録されているため、ＤＶＤ−Ｖｉｄｅｏの再生装置は領域ｖｉｄｅｏ＿ｔｓ内にあるＰＧＣを読んで、そこに記述されてある情報に従ってＶＯＢの再生を行っている。
【０００４】
ここで、ＨＤ（ハイビジョン）の映像をＭＰＥＧ−２で圧縮してＨＤの映像を持つＶＯＢを作成して領域ｖｉｄｅｏ＿ｔｓへ記録し、この記録したＨＤの映像をもつＶＯＢを再生するように指定したＰＧＣをディスクに記録したとする。
【０００５】
このようにただ単に現在のＤＶＤ−Ｖｉｄｅｏで映像のみをＨＤの画像に対応するように拡張して、現在のＤＶＤ−Ｖｉｄｅｏと同じようにｖｉｄｅｏ＿ｔｓのディレクトリに格納した場合、従来のＤＶＤ−Ｖｉｄｅｏの規格に対応した再生装置では記録されたものがＨＤの映像を含むものなのかどうかを記録されたデータから判断することはできない。
【０００６】
このため従来のＤＶＤ−Ｖｉｄｅｏ再生装置では映像を再生しようとするが正しく再生できない、或いは何も表示することができない。また、ＨＤの映像がＭＰＥＧ−２で圧縮されているとは限らないため、再生装置が映像のデータを認識できないため不具合を起こす可能性がある。
【０００７】
この他、従来のＤＶＤ−Ｖｉｄｅｏについては、例えば特開１１−３３９３９１号公報等により知られている。
【０００８】
【発明が解決しようとする課題】
このように従来の映像信号記録装置においては、ＨＤ（ハイビジョン）の映像をＭＰＥＧ−２で圧縮してＨＤの映像を持つＶＯＢを作成して領域ｖｉｄｅｏ＿ｔｓへ記録されている場合、正しく再生できない、或いは何も表示することができないという問題があった。
【０００９】
【課題を解決するための手段】
上記の目的を達成するために、この発明においては、ＤＶＤ−Ｖｉｄｅｏ規格で使用できる映像で作成された第１のファイルを得る第１のファイル手段と、前記第１のファイル手段から入力される前記第１のファイルを使用して再生を行わせる第１の制御情報を作成する第１の制御情報作成手段と、前記第１のファイル手段から入力される前記第１のファイルおよび前記第１の制御情報作成手段から入力される前記第１の制御情報を光ディスクの前記規格で定められた第１の領域に記録する第１の記録手段と、高解像度映像を用いて作成された第２のファイルを作成する第２のファイル作成手段と、前記第２のファイルと前記第１のファイルの内少なくともいずれか一方を使用して再生を行うようにする第２の制御情報を作成する第２の制御情報作成手段と、前記第２のファイル作成手段からの前記第２のファイルおよび前記第２の制御情報作成手段からの前記第２の制御情報とを、前記光ディスクの前記第１の領域とは異なる高解像度映像対応機器用の第２の領域に記録する第２の記録手段とを備えたことを特徴とする映像信号記録装置を提供する。
【００１０】
また、上記の目的を達成するために、この発明においては、ＤＶＤ−Ｖｉｄｅｏ規格で使用できる映像で作成された第１のファイルを得る第１のファイル手段と、前記第１のファイル手段から入力される前記第１のファイルを使用して再生を行わせる第１の制御情報を作成する第１の制御情報作成手段と、前記第１のファイル手段から入力される前記第１のファイルおよび前記第１の制御情報作成手段から入力される前記第１の制御情報を光ディスクの前記規格で定められた第１の領域に記録する第１の記録手段と、高解像度映像を用いて作成された第２のファイルを作成する第２のファイル作成手段と、前記第１の領域に格納された前記第１のファイルを指すリンクファイルを作成するリンクファイル作成手段と、前記第２のファイルと前記リンクファイルの内少なくともいずれか一方を使用して再生を行わせる第２の制御情報を作成する第２の制御情報作成手段と、前記第２のファイル作成手段からの第２のファイルと前記リンクファイル作成手段からの前記リンクファイルと前記第２の制御情報とを、前記光ディスクの前記第１の領域とは異なる高解像度映像対応機器用の第２の領域に記録する第２の記録手段とを備えたことを特徴とする映像信号記録装置を提供する。
【００１１】
また、上記の目的を達成するために、この発明においては、ＤＶＤ−Ｖｉｄｅｏ規格で使用できる映像で作成された第１のファイルを得る第１のファイル手段と、高解像度映像を用いて作成した第２のファイルを得る第２のファイル手段と、前記第１のファイルおよび前記第２のファイルを再生するための制御情報を作成する制御情報作成手段と、前記第１のファイル手段からの前記第１のファイルと前記第１のファイル手段からの前記第２のファイルと前記制御情報作成手段からの前記制御情報とを、前記規格で定められた領域に記録する記録手段とを備え、前記制御情報は、前記制御情報の中で再生装置が最初に記録媒体を再生するときに最初に使用する部分に、前記再生装置が高解像度映像の再生に対応しているか否かを判断させる処理と、この処理の判断結果に応じて前記再生装置で再生を行うＰＧＣ（Ｐｒｏｇｒａｍ　Ｃｈａｉｎ）を切り替える処理と、前記再生装置が高解像度映像の再生に対応していない場合には、前記第１のファイルのみを使用して再生を行わせる第１の制御情報により再生を行わせる処理と、前記再生装置が高解像度映像の再生に対応している場合には、前記第１のファイルおよび前記第２のファイルの内、少なくともいずれか一方を使用して再生を行わせる第２の制御情報により再生を行わせる処理とを含むことを特徴とする映像信号記録装置を提供する。
【００１２】
また、上記の目的を達成するために、この発明においては、ＤＶＤ−Ｖｉｄｅｏ規格で使用できる映像で作成された第１のファイルと、高解像度映像を用いて作成した第２のファイルと、前記第１のファイルおよび前記第２のファイルを再生するための制御情報と、前記第１のファイルと前記第２のファイルと前記制御情報とを、前記規格で定められた領域に格納し、前記制御情報は、前記制御情報の中で再生装置が最初に記録媒体を再生するときに最初に使用する部分に、前記再生装置が高解像度映像の再生に対応しているか否かを判断させる処理と、この処理の判断結果に応じて前記再生装置で再生を行うＰＧＣ（Ｐｒｏｇｒａｍ　Ｃｈａｉｎ）を切り替える処理と、前記再生装置が高解像度映像の再生に対応していない場合には、前記第１のファイルのみを使用して再生を行わせる第１の制御情報により再生を行わせる処理と、前記再生装置が高解像度映像の再生に対応している場合には、前記第１のファイルおよび前記第２のファイルの内、少なくともいずれか一方を使用して再生を行わせる第２の制御情報により再生を行わせる処理とを含むことを特徴とする映像信号記録装置を提供する。
【００１３】
また、上記の目的を達成するために、この発明においては、ＤＶＤ−Ｖｉｄｅｏ規格で使用できる映像で作成された第１のファイルと、この第１のファイルを使用して再生を行うようにする第１の制御情報とを前記規格で定められた第１の領域に格納し、高解像度映像を用いて作成された第２のファイルと、前記第２のファイルと前記第１のファイルの内少なくともいずれか一方を使用して再生を行わせる第２の制御情報とを前記第１の領域とは異なる高解像度映像対応機器用の第２の領域に格納した記録媒体から信号を読み出す読出手段と、前記読出手段により読み出した前記信号から、前記記録媒体に前記第２の領域があるか否かを判定する判定手段と、前記判定手段の判定の結果、前記記録媒体に前記第２の領域がある場合には前記第２の領域に格納されている前記第２の制御情報に応じて、前記第２のファイルと前記第１のファイルの内少なくともいずれか一方を用いて再生を行う第１の再生手段と、前記判定手段の判定の結果、前記記録媒体に前記第２の領域がない場合には前記第１の領域から前記第１の制御情報を読み出し、この読み出した前記第１の制御情報に応じて前記第１のファイルを使用して再生を行う第２の再生手段とを備えたことを特徴とする映像信号再生装置を提供する。
【００１４】
また、上記の目的を達成するために、この発明においては、ＤＶＤ−Ｖｉｄｅｏ規格で使用できる映像で作成された第１のファイルと、この第１のファイルを使用して再生を行うようにする第１の制御情報とを前記規格で定められた第１の領域に格納し、高解像度映像を用いて作成された第２のファイルと、前記第１の領域に格納された前記第１のファイルを指すリンクファイルと、前記第２のファイルと前記リンクファイルの内少なくともいずれか一方を使用して再生を行わせる第２の制御情報を前記第１の領域とは異なる高解像度映像対応機器用の第２の領域に格納した記録媒体から信号を読み出す読出手段と、前記読出手段により読み出した前記信号から、前記記録媒体に前記第２の領域があるか否かを判定する判定手段と、前記判定手段の判定の結果、前記記録媒体に前記第２の領域がある場合には前記第２の領域に格納されている前記第２の制御情報に応じて、前記第２のファイルと前記第１のファイルを指すリンクファイルの内少なくともいずれか一方を用いて再生を行う第１の再生手段と、前記判定手段の判定の結果、前記記録媒体に前記第２の領域がない場合には前記第１の領域から前記第１の制御情報を読み出し、この読み出した前記第１の制御情報に応じて前記第１のファイルを使用して再生を行う第２の再生手段とを備えたことを特徴とする映像信号再生装置を提供する。
【００１５】
【発明の実施の形態】
以下に、この本発明の実施の形態について図面を参照して詳細に説明する。
（第１のファイル構成）
ＤＶＤ−Ｖｉｄｅｏディスクのファイル構成について図１を用いて詳細に説明する。
図１はＤＶＤ−Ｖｉｄｅｏディスクのファイル構成を示す図である。
図１において本発明の記録方式のディスクはディスク全体のファイルの情報を格納するＦｉｌｅＳｙｓｔｅｍの領域と、従来のＤＶＤ−Ｖｉｄｅｏのファイルを格納する領域であるｖｉｄｅｏ＿ｔｓと、ＨＤの映像を含むＤＶＤ−Ｖｉｄｅｏのファイルを格納するｖｉｄｅｏ＿ｔｓとは、それぞれ別の領域として設けられている。本明細書中では、ＨＤの映像を含むＤＶＤ−Ｖｉｄｅｏのファイルを格納するｖｉｄｅｏ＿ｔｓの領域をＨＤｖｉｄｅｏ＿ｔｓとし、従来のＤＶＤ−Ｖｉｄｅｏのファイルを格納する領域であるｖｉｄｅｏ＿ｔｓと区別して記述する。
【００１６】
このように従来からあるＤＶＤ−Ｖｉｄｅｏの領域はディレクトリ：ｖｉｄｅｏ＿ｔｓ、ＨＤの映像を含む新たなＤＶＤ−Ｖｉｄｅｏの領域はディレクトリ：ＨＤｖｉｄｅｏ＿ｔｓとし、ディレクトリを分けている。ディレクトリ：ｖｉｄｅｏ＿ｔｓには従来と同様にＤＶＤ−Ｖｉｄｅｏで使用できる映像（ＳＤ）で作成されたＶＯＢと、このＶＯＢを再生するためのＰＧＣが格納される。ディレクトリ：ＨＤｖｉｄｅｏ＿ｔｓにはＨＤの映像で作成されたＶＯＢ（以下、ＨＤＶＯＢと記す）と、ＳＤの映像で作成されたＶＯＢ（以下、ＳＤＶＯＢと記す）と、ＨＤＶＯＢとＳＤＶＯＢを再生するためのＰＧＣとが格納される。このときディレクトリ：ＨＤｖｉｄｅｏ＿ｔｓのＳＤＶＯＢは、ディレクトリ：ｖｉｄｅｏ＿ｔｓにあるＶＯＢと同じであるため、実際のファイルではなくディレクトリ：ｖｉｄｅｏ＿ｔｓにあるＶＯＢを指すリンクファイルとする。このようにすることによりデータを節約することができる。
【００１７】
このようなファイル構成にすることでディレクトリ：ｖｉｄｅｏ＿ｔｓ内にはＨＤの映像は存在せず、ＰＧＣもＨＤの映像を再生するような情報はない。このため従来のＤＶＤ−Ｖｉｄｅｏ再生装置で再生する場合、ディレクトリ：ｖｉｄｅｏ＿ｔｓに存在するＰＧＣを使用して再生を行うので問題は発生しない。また、ＨＤに対応したＤＶＤ−Ｖｉｄｅｏ再生装置の場合、ディレクトリ：ＨＤｖｉｄｅｏ＿ｔｓに存在するＰＧＣを使用して再生を行うのでＳＤ，ＨＤの両方の映像を選択的に再生することができる。
【００１８】
（第２のファイル構成）
次に、ＤＶＤ−Ｖｉｄｅｏディスクの他のファイル構成について図２を用いて詳細に説明する。
図２はＤＶＤ−Ｖｉｄｅｏディスクのファイル構成を示す図である。
図１に示した例ではディレクトリ：ＨＤｖｉｄｅｏ＿ｔｓに格納されるＳＤＶＯＢは、ディレクトリ：ｖｉｄｅｏ＿ｔｓにあるＶＯＢと同じものなので、図２ではこれに代えてＨＤｖｉｄｅｏ＿ｔｓにあるＰＧＣの中で直接ｖｉｄｅｏ＿ｔｓ内のＶＯＢを指定するようにすることで、図１と同様の効果を得ている。
【００１９】
（第３のファイル構成）
次に、ＤＶＤ−Ｖｉｄｅｏディスクの他のファイル構成について図３を用いて詳細に説明する。
図３はＤＶＤ−Ｖｉｄｅｏディスクのファイル構成を示す図である。この例では、ＳＤの映像のファイルとＨＤの映像のファイルとを異なるディレクトに格納している。
【００２０】
ここではＳＤの映像が２つ、ＨＤの映像が３つあり、ＳＤの映像のＶＯＢはＶＯＢ１，ＶＯＢ２，ＨＤの映像のＶＯＢはＨＤＶＯＢ１，ＨＤＶＯＢ２，ＨＤＶＯＢ３とから構成されているものとして説明する。
【００２１】
ＳＤの映像用ディレクトリ：ｖｉｄｅｏ＿ｔｓには、（１）ＶＯＢ１，（２）ＶＯＢ２，（３）ＶＯＢ１／ＶＯＢ２を使用して再生を行う制御情報を持ったＰＧＣを格納する。
【００２２】
また、ＨＤの映像用ディレクトリ：ＨＤｖｉｄｅｏ＿ｔｓには、（１）ＨＤＶＯＢ１，（２）ＨＤＶＯＢ２，（３）ＨＤＶＯＢ３，（４）ディレクトリｖｉｄｅｏ＿ｔｓにあるＶＯＢ１を指すリンクファイルＳＤＶＯＢ１，（５）ディレクトリｖｉｄｅｏ＿ｔｓにあるＶＯＢ２を指すリンクファイルＳＤＶＯＢ２，（６）ＨＤＶＯＢ１／ＨＤＶＯＢ２／ＨＤＶＯＢ３／ＳＤＶＯＢ１／ＳＤＶＯＢ２を使用して再生を行う制御情報を持ったＰＧＣを格納する。
【００２３】
以上まとめるとこのＤＶＤ−Ｖｉｄｅｏのディスクは図３に示すファイル構成になる。
このようなファイル構成にすることで、従来のＤＶＤ−Ｖｉｄｅｏ再生装置は、再生においてディレクトリ：ｖｉｄｅｏ＿ｔｓのＰＧＣを使用して再生を行う。このため従来のＤＶＤ−Ｖｉｄｅｏ再生装置は、ＶＯＢ１，ＶＯＢ２の２つからのみ再生可能となるので、ＳＤの映像だけ再生可能となる。また、ＨＤの映像に対応したＤＶＤ−Ｖｉｄｅｏ再生装置は、ディレクトリ：ＨＤｖｉｄｅｏ＿ｔｓのＰＧＣを使用して再生を行う。このためＨＤの映像に対応したＤＶＤ−Ｖｉｄｅｏ再生装置は、ＨＤＶＯＢ１，ＨＤＶＯＢ２，ＨＤＶＯＢ３とＳＤＶＯＢ１，ＳＤＶＯＢ２から選択的（複数複数も可）に再生することができる。
【００２４】
ＳＤＶＯＢ１はＶＯＢ１，ＳＤＶＯＢ２はＶＯＢ２を指すリンクファイルなので、実際にはＨＤの映像に対応したＤＶＤ−Ｖｉｄｅｏ再生装置では、ディスクに記録されているＳＤの映像ＶＯＢ１，ＶＯＢ２、ＨＤの映像ＨＤＶＯＢ１，ＨＤＶＯＢ２，ＨＤＶＯＢ３の全５つの映像について再生可能となる。
【００２５】
（第４のファイル構成）
図４において、本発明の記録方式のディスクはディスク全体のファイルの情報を格納するＦｉｌｅＳｙｓｔｅｍの領域と、ＤＶＤ−Ｖｉｄｅｏのファイルを格納する領域であるｖｉｄｅｏ＿ｔｓとが設けられている。ＤＶＤ−Ｖｉｄｅｏの領域はディレクトリ：ｖｉｄｅｏ＿ｔｓとなっており、このディレクトリ：ｖｉｄｅｏ＿ｔｓ内には、（１）ＰＧＣ、（２）ＳＤの映像のＶＯＢ、（３）ＨＤの映像のＨＤＶＯＢが格納される。
【００２６】
そしてＰＧＣのうち再生装置で初めてディスクの再生を行ったとき最初に使用される部分（ファーストプレイＰＧＣ）に、再生を行っている再生装置がＨＤの映像を再生することができるかを判断するチェック処理と、このチェックの結果に従ってその後使用するＰＧＣの情報を切り替える制御を付加する。
【００２７】
図５は、ファーストプレイＰＧＣで行われる処理のフローを示している。
再生装置が再生を開始すると（ステップ５０１）、初めにファーストプレイＰＧＣを読み込み再生装置がＨＤの映像を再生できるか否かの判定をＭＰＵが行う（ステップ５０２）。ステップ５０２での判定の結果、ＨＤの映像に対応していない（再生できない）場合は（ステップ５０３）、ＶＯＢのみの再生を行うＰＧＣに切り替える（ステップ５０４）。反対にステップ５０２での判定の結果、ＨＤの映像に対応している（再生できる）場合は（ステップ５０３）、ＨＤＶＯＢとＶＯＢのいずれかを再生するＰＧＣに切り替える。このＨＤＶＯＢとＶＯＢのどちらを再生するかについては、ＰＧＣの中の制御情報により決まる。
【００２８】
これにより再生装置が再生できる映像のみを再生に使用するＰＧＣを使用するように切り替えられるため、現行のＤＶＤ−Ｖｉｄｅｏ再生の場合はＳＤの映像のみが再生でき、ＨＤの映像に対応した再生装置ではＨＤとＳＤの映像が再生できるようになる。
【００２９】
このようにすることにより現行のＤＶＤ−Ｖｉｄｅｏの再生装置ではＳＤの映像のＶＯＢを使用したＰＧＣ、ＨＤの映像に対応した再生装置ではＨＤの映像のＨＤＶＯＢとＳＤの映像のＶＯＢを使用したＰＧＣと再生装置によって再生できるＶＯＢを切り替えることができるため、現行のＤＶＤ−Ｖｉｄｅｏの再生装置でも問題が発生することのないＨＤ映像に対応したＤＶＤ−Ｖｉｄｅｏの記録方式となる。
【００３０】
次に、本発明のファーストプレイＰＧＣで再生装置がＨＤの映像の再生に対応しているかの判断について更に詳細に説明する。
ＤＶＤ−Ｖｉｄｅｏで使用しているシステムパラメータで現在使用していない領域に、ＨＤの映像の再生に対応した再生装置の場合、再生装置の電源を入れるとＨＤの映像を再生できることを示すフラグを設定することとする。
【００３１】
この例ではＨＤの映像に対応した再生装置はシステムパラメータのビデオ用のプレーヤ構成（Ｐｌａｙｅｒ　Ｃｏｎｆｉｇｕｒａｔｉｏｎ　以下、Ｐ＿ＣＦＧと記す。）のなかでＲｅｓｅｒｖｅｄとして使用されていない１４，１５ビット目にＨＤ対応のフラグとして“０１”をセットすることとする。
【００３２】
初めてディスクの再生を行った場合に最初に使用されるファーストプレイＰＧＣの中で上記Ｐ＿ＣＦＧの１４，１５ビット目をみて、再生装置がＨＤの映像の再生に対応しているかＣＰＵが判断する。従来のＳＤのみ対応の再生装置であればＲｅｓｅｒｖｅｄとなっているため上記Ｐ＿ＣＦＧの１４，１５ビット目は“００”であり、ＨＤ対応の再生装置では前述した通り“０１”となり、現在使用している再生装置がＨＤの映像の再生に対応しているか判断できる。この判断の結果より従来のＳＤの映像のみを再生できる再生装置にはＳＤの映像のみを再生で使用するＰＧＣ、また、ＨＤの映像に対応した再生装置にはＳＤ，ＨＤ全ての映像で作成されたＶＯＢを再生で使用するＰＧＣと再生装置によって使用するＰＧＣを切り替える。
【００３３】
ここでＨＤの映像に対応した再生装置を判断するのにＰ＿ＣＦＧの空き領域に再生装置がＨＤ対応を示すフラグを立てるとしたが、ＳＤとＨＤの対応した再生装置を判断できるフラグまたは情報が他にあれば、その情報を利用しても同様に実施して本発明の効果を得ることができる。
【００３４】
次に、上記した第１乃至第４のファイル構成を作成する本発明の映像信号記録装置および映像信号再生装置の構成について図面を参照して詳細に説明する。図７は、例えばＤＶＤ−Ｒ，ＤＶＤ＋Ｒ等の光ディスク７１１に対して、データを記録再生するための記録再生装置を示している。
【００３５】
この記録再生装置は、メインＭＰＵ（Ｍｉｃｒｏ　Ｐｒｏｃｅｓｓｉｎｇ　Ｕｎｉｔ）７１２によって統括的に制御管理されている。この場合、メインＭＰＵ７１２は、操作部７１３による使用者からの要求を受信して記録再生装置の制御を行なうとともに、その制御状態を表示部７１４に表示させている。
【００３６】
また、上記光ディスク７１１は、メインＭＰＵ７１２からの指令に基づいて駆動されるディスクドライバ７１５によって制御されている。このディスクドライバ７１５は、図示しないディスクモータ及びその回転サーボ回路により、光ディスク７１１を所定の回転速度で回転駆動させる機能と、図示しない光学式ヘッド及びそのサーボ回路により、光ディスク７１１へのデータの書き込みや、光ディスク７１１からのデータの読み出しを行なう機能とを備えている。
【００３７】
ここで、光ディスク７１１に対する記録動作について説明する。まず、メインＭＰＵ７１２は、操作部７１３からの記録命令を受信すると、ディスクドライバ７１５を介して光ディスク７１１から管理データを読み取り、データを書き込む領域を決定する。
【００３８】
その後、メインＭＰＵ７１２は、決定した領域の書き込みスタートアドレスをディスクドライバ７１５に設定し、データを記録する準備を完了する。また、メインＭＰＵ７１２は、記録再生装置が記録動作や再生動作を行なう際の基準となる時間を計測するためのタイマーであるＳＴＣ（Ｓｙｓｔｅｍ　Ｔｉｍｅ　Ｃｏｕｎｔｅｒ）７１６をリセットする。
【００３９】
そして、外部のＡ／Ｖ（Ａｕｄｉｏ／Ｖｉｄｅｏ）入力部７１７から供給される映像信号及び音声信号、または、ＴＶ（Ｔｅｌｅｖｉｓｉｏｎ）チューナ７１８から供給される映像信号及び音声信号は、それぞれ、エンコーダ７１９を構成するＡ／Ｄ（Ａｎａｌｏｇｕｅ／Ｄｉｇｉｔａｌ）変換部７２０に供給されてデジタル化された後、映像エンコーダ７２１及び音声エンコーダ７２２に供給される。また、ＴＶチューナ７１８から得られる文字放送等のテキスト信号やクローズドキャプション信号等は、副映像エンコーダ７２３に供給される。
【００４０】
これらのエンコーダ７２１，７２２，７２３は、それぞれ、入力された信号に圧縮処理を施してパケット化し、フォーマッタ部７２４に出力している。この場合、各パケットは、後にパック化したときに１パックあたり２０４８バイトになるように切り分けてパケット化される。また、各エンコーダ７２１，７２２，７２３は、ＳＴＣ７１６の計測値に基づいて、各パケットのＰＴＳ（ＰｒｅｓｅｎｔａｔｉｏｎＴｉｍｅ　Ｓｔａｍｐ）及びＤＴＳ（Ｄｅｃｏｄｉｎｇ　Ｔｉｍｅ　Ｓｔａｍｐ）を決定している。
【００４１】
なお、映像エンコーダ７２１は、ＳＤの映像信号およびＨＤの映像信号の両方が入力され、それぞれをエンコードする。
メインＭＰＵ７１２は、従来のＳＤのみ対応の再生装置ではＳＤの映像信号を、ＨＤ対応の再生装置ではＨＤの映像信号とＳＤの映像信号をいずれも再生可能なＰＧＣを作成してフォーマッタ７２４へ出力する。
【００４２】
上記フォーマッタ部７２４は、入力された各パケットデータをパック化し、ＧＯＰ（Ｇｒｏｕｐ　ｏｆ　Ｐｉｃｔｕｒｅ）毎にパックのアライメント処理を行なった後、ＧＯＰの先頭にナビゲーションパックを追加して、データ処理部７２５に出力している。なお、このフォーマッタ部７２４の処理が行なわれる際に、パケットデータの一時保存のために、バッファメモリ７２６が使用される。
【００４３】
また、データ処理部７２５は、上記のようにしてエンコーダ７１９から出力されたデータを、７１６パック毎にまとめてＥＣＣ（Ｅｒｒｏｒ　Ｃｏｒｒｅｃｔｉｎｇ　Ｃｏｄｅ）グループとし、各グループ毎にＥＣＣを付加して前記ディスクドライバ７１５に出力している。
【００４４】
ただし、ディスクドライバ７１５がデータを記録する準備を完了していない場合には、データ処理部７２５は、データを一時記憶部７２７に保存して、ディスクドライバ７１５がデータを記録する準備を完了するまで待ち、準備が完了した段階でディスクドライバ７１５に転送して光ディスク７１１に記録させる。
【００４５】
なお、この一時記憶部７２７は、高速アクセスで数分以上の記録データを保存するため、大記憶容量のものが想定される。そして、上記データ処理部７２５は、データ記録の最後に、ナビゲーションパック内の早送り及び早戻し用のデータが記録される光ディスク７１１の領域に、各ナビゲーションパックのアドレスデータを記録するとともに、光ディスク７１１の管理領域に必要な情報を記録して、記録動作を終了する。
【００４６】
なお、上記した例ではほぼリアルタイムに光ディスク７１１に記録するものとしたが、本発明はこれに限らずハード・ディスク・ドライブ等から構成される一時記憶部７２７にＤＶＤ−Ｖｉｄｅｏ規格に必要なデータを全て準備し終えてから光ディスク７１１へ書き込むようにしても良い。
【００４７】
なお、本実施の形態ではＤＶＤ−Ｒ書込みする例として説明するが、ＤＶＤ−Ｒ書込みだけでなくフォーマットされたデータをディスク作成（プレス）する機械に持っていってＤＶＤ−Ｖｉｄｅｏディスクを作成することもできる。
【００４８】
次に、上記光ディスク７１１に対する再生動作について説明する。
まず、メインＭＰＵ７１２は、操作部７１３からの再生命令を受信すると、ディスクドライバ７１５及びデータ処理部７２５を介して光ディスク７１１の管理領域のデータを読み取り、データ再生を行なうアドレスを決定する。
【００４９】
このときメインＭＰＵ７１２は、まずＨＤの映像が格納されているディレクトリ：ＨＤｖｉｄｅｏ＿ｔｓを参照し、ディレクトリ：ＨＤｖｉｄｅｏ＿ｔｓが存在している場合、ディレクトリ：ＨＤｖｉｄｅｏ＿ｔｓにあるＰＧＣを読み込み、この読み込んだＰＧＣの制御情報に従って再生を行う。反対にディレクトリ：ＨＤｖｉｄｅｏ＿ｔｓが存在していない場合、ディレクトリ：ｖｉｄｅｏ＿ｔｓにあるＰＧＣを読み込み、この読み込んだＰＧＣの制御情報に従って再生を行う。
【００５０】
メインＭＰＵ７１２は、決定したアドレスと読み取り命令とをディスクドライバ７１５に出力する。すると、このディスクドライバ７１５は、入力された読み取り命令に基づいて、光ディスク７１１からセクタデータを読み取り、データ処理部７２５に出力する。
【００５１】
この場合、データ処理部７２５では、入力されたセクタデータにエラー訂正処理を施し、パックデータの形にして、デコーダ７２８を構成する分離部７２９に出力する。
【００５２】
この分離部７２９は、入力されたパックデータを、映像パケットデータ、音声パケットデータ及び副映像パケットデータに分離している。分離部７２９は、ＳＤの映像を再生する場合にはＳＤの映像パケットデータを抽出し、ＨＤの映像を再生する場合にはＳＤの映像パケットデータを抽出して映像デコーダ７３０へ出力する。
【００５３】
そして、この映像パケットデータ、音声パケットデータ及び副映像パケットデータは、それぞれ、映像デコーダ７３０、音声デコーダ７３１及び副映像デコーダ７３２に供給される。この場合、ナビゲーションパックは、メインＭＰＵ７１２が処理するため、分離部２９の内蔵メモリ７２９ａに保存され、メインＭＰＵ７１２がいつでもアクセスできるようにしている。
【００５４】
そして、上記分離部７２９で分離された各パケットデータが、それぞれ対応するデコーダ７３０，７３１，７３２に転送されるときに、ＰＴＳがＳＴＣ７１６にロードされる。このロード処理は、例えばメインＭＰＵ７１２がナビゲーションパック内のＰＴＳをＳＴＣ７１６にロードするか、または、映像デコーダ７３０が自動的に映像データのＰＴＳをＳＴＣ７１６にロードすることによって実現される。
【００５５】
このため、各デコーダ７３０，７３１，７３２は、それぞれ、パケットデータ内のＰＴＳの値とＳＴＣ７１６の計測値とを比較しながら、つまり、ＰＴＳの値に同期してパケットデータの再生処理を実行することができる。この映像デコーダ７３０は、ＳＤ或いはＨＤの映像信号をデコードする能力を持っている。
【００５６】
このようにして、映像デコーダ７３０及び副映像デコーダ７３２で再生処理された映像データ及び副映像データは、映像処理部７３３に供給されて合成された後、Ｄ／Ａ（Ｄｉｇｉｔａｌ／Ａｎａｌｏｇｕｅ）変換部７３４によりアナログ化される。また、上記音声デコーダ７３１で再生処理された音声データは、Ｄ／Ａ変換部７３５でアナログ化される。そして、各Ｄ／Ａ変換部７３４，７３５の出力が、Ａ／Ｖ出力部７３６を介して外部に取り出される。
【００５７】
このように本発明では現在ＤＶＤ−Ｖｉｄｅｏ規格で使用できる映像のＶＯＢとそのＶＯＢを再生するＰＧＣは従来通り、ｖｉｄｅｏ＿ｔｓに格納し、ＨＤの映像のＶＯＢとそのＨＤの映像のＶＯＢ使用して再生するＰＧＣは別のディレクトリに格納する。この様にＨＤの映像があるなしでＶＯＢとＰＧＣの格納するディレクトリを分けることで、従来のＤＶＤ−Ｖｉｄｅｏ再生装置はｖｉｄｅｏ＿ｔｓのＰＧＣを使用するため、ＨＤの映像は再生に指定されないため問題は発生せず、ＨＤの映像に対応した再生装置はｖｉｄｅｏ＿ｔｓとは別のディレクトリのＰＧＣを使用して再生を行うことで、ＨＤの映像を再生することができる。
【００５８】
この際、ＨＤの映像を含むディレクトリ中の再生制御情報には、現行のｖｉｄｅｏ＿ｔｓディレクトリ中のＶＯＢデータを再生する情報も記述することで、ＨＤの映像の再生可能な再生装置では，ディスクに含まれるＨＤ映像、ＳＤ映像をともに再生することができる。
【００５９】
また、ＨＤの映像を含むディレクトリ中にｖｉｄｅｏ＿ｔｓディレクトリ中のＶＯＢデータのリンクを作成し、ＨＤの映像を含むディレクトリ中の再生制御情報では、このリンクを介して、ＳＤの映像の実体にアクセスすることを可能とする。
【００６０】
【発明の効果】
以上説明したようにこの発明によれば、ＳＤの映像は従来どおりＳＤのディレクトリにある映像信号を再生し、ＨＤの映像信号再生装置ではＨＤの映像信号が記録された領域を再生するので、従来のＳＤのみに対応した再生装置で問題なくＳＤの映像を再生することができる。
【図面の簡単な説明】
【図１】本発明のＤＶＤ−Ｖｉｄｅｏディスクのファイル構成を説明するための図。
【図２】本発明のＤＶＤ−Ｖｉｄｅｏディスクのファイル構成を説明するための図。
【図３】本発明のＤＶＤ−Ｖｉｄｅｏディスクのファイル構成を説明するための図。
【図４】本発明のＤＶＤ−Ｖｉｄｅｏディスクのファイル構成を説明するための図。
【図５】本発明のファーストプレイＰＧＣを処理したときの再生装置の動作を説明するためのフローチャート。
【図６】本発明のＤＶＤ−Ｖｉｄｅｏディスクのファイル構成を説明するための図。
【図７】本発明に係る映像信号記録／再生装置の構成を説明するためのブロック図。
【符号の説明】
７１１…光ディスク、７１２…メインＭＰＵ、７１３…操作部、７１４…表示部、７１５…ディスクドライバ、７１６…ＳＴＣ、７１７…Ａ／Ｖ入力部、７１８…ＴＶチューナ、７１９…エンコーダ、７２０…Ａ／Ｄ変換部、７２１…映像エンコーダ、７２２…音声エンコーダ、７２３…副映像エンコーダ、７２４…フォーマッタ部、７２５…データ処理部、７２６…バッファメモリ、７２７…一時記憶部、７２８…デコーダ、７２９…分離部、７３０…映像デコーダ、７３１…音声デコーダ、７３２…副映像デコーダ、７３３…映像処理部、７３４，７３５…Ｄ／Ａ変換部、７３６…Ａ／Ｖ出力部。
【図１】
2004096282.tif 000003
【図２】
2004096282.tif 000004
【図３】
2004096282.tif 000005
【図４】
2004096282.tif 000006
【図５】
2004096282.tif 000007
【図６】
2004096282.tif 000008
【図７】
2004096282.tif 000009